(57)【要約】      （修正有）【課題】電子装置を確実に固定できる固定装置を提供する。【解決手段】固定装置１００は、本体と、本体に設けられる固定モジュール１２０と、本体に設けられる作動モジュール１３０とを含む。そのうち作動モジュールが第一方向に移動するとき、固定モジュールは第一方向と異なる第二方向に連動し、固定装置は係止状態と解除状態のいずれかから他方に移行する。【選択図】図２
0003138428.tif 000002
【実用新案登録請求の範囲】
【請求項１】
固定装置であって、
本体と、
本体に設けられる固定モジュールと、
本体に設けられる作動モジュールとを含み、そのうち作動モジュールが第一方向に移動するとき、固定モジュールは第一方向と異なる第二方向に連動し、固定装置は係止状態と解除状態のいずれかから他方に移行することを特徴とする固定装置。
【請求項２】
前記第一方向と第二方向はほぼ垂直であることを特徴とする請求項１記載の固定装置。
【請求項３】
前記第一方向は垂直であり、第二方向は水平であることを特徴とする請求項２記載の固定装置。
【請求項４】
前記固定モジュールは、
第一係止具が設けられる第一フック部を有し、可撓性材料で作られた係止部を含み、前記作動モジュールが第一方向に移動するとき、係止部は変形し、第一係止具は第二方向に連動し、固定装置は係止状態と解除状態のいずれかから他方に移行することを特徴とする請求項１記載の固定装置。
【請求項５】
前記係止部は更に第二係止具が設けられる第二フック部を有し、前記作動モジュールが第一方向に移動するとき、係止部は変形し、第一係止具は第二方向に連動し、固定装置は係止状態と解除状態のいずれかから他方に移行し、前記固定モジュールは更に、
第一フック部と第二フック部をつなげ、係止部が変形するときに係止部に弾力を与える弾性体を含むことを特徴とする請求項４記載の固定装置。
【請求項６】
前記固定装置は電子装置の固定装置であることを特徴とする請求項１記載の固定装置。
【請求項７】
前記電子装置は携帯型装置であることを特徴とする請求項６記載の固定装置。
【請求項８】
前記電子装置はＧＰＳ（全地球測位システム）ナビゲーターであることを特徴とする請求項６記載の固定装置。
【請求項９】
前記電子装置は携帯電話であることを特徴とする請求項６記載の固定装置。
【請求項１０】
前記固定装置は更に、本体に設けられる着脱可能な台座を含み、該着脱可能な台座は、
電子装置の接続ポートの形と一致し、複数の孔を有する接続部が筐体に設けられる台座蓋と、
上記複数の孔から突き出ており、電子装置を上記着脱可能な台座に取り付けるときに電子装置の接続ポートと接続する複数のピンを有し、台座蓋に収容される回路板とを含むことを特徴とする請求項６記載の固定装置。
【請求項１１】
前記固定装置は車用固定装置であることを特徴とする請求項６記載の固定装置。
【請求項１２】
電子装置用の固定装置であって、
本体と、
本体に設けられる着脱可能な台座とを含み、そのうち着脱可能な台座は、
電子装置の接続ポートの形と一致し、複数の孔を有する接続部が筐体に設けられる台座蓋と、
上記複数の孔から突き出ており、電子装置を上記着脱可能な台座に取り付けるときに電子装置の接続ポートと接続する複数のピンを有し、台座蓋に収容される回路板とを含むことを特徴とする固定装置。
【請求項１３】
前記電子装置は携帯型装置であることを特徴とする請求項１２記載の固定装置。
【請求項１４】
前記電子装置はＧＰＳナビゲーターであることを特徴とする請求項１２記載の固定装置。
【請求項１５】
前記電子装置は携帯電話であることを特徴とする請求項１２記載の固定装置。
【請求項１６】
前記固定装置は車用固定装置であることを特徴とする請求項１２記載の固定装置。
【考案の詳細な説明】
【技術分野】
【０００１】
本考案は固定装置に関し、特に移動方向が異なる（ほぼ垂直である）作動モジュールと固定モジュールを備える固定装置に関する。
【背景技術】
【０００２】
モバイル技術の革新に伴い、携帯型マルチメディアプレイヤーなど各種の娯楽機器は日常生活に普及している。例えば、ＧＰＳ（全地球測位システム）ナビゲーターの搭載は自動車の標準仕様になりつつある。ＧＰＳナビゲーターは、運転席から容易に操作できる場所に固定することが望ましい。市販のＧＰＳナビゲーター取付機構は簡易型と複雑型に大別され、簡易型は垂直方向の係止具で装置を固定するのみであり、複雑型はそれに装置着脱用のボタンを増設することが多い。しかし、垂直方向だけでは装置を確実に固定することができず、装置は大きな振動により固定機構から脱落する恐れがある。また、装置着脱用ボタン付きの固定機構は、対象機種以外のものに適用できない欠点がある。
【考案の開示】
【考案が解決しようとする課題】
【０００３】
本考案は前述の問題を解決するため、電子装置を確実に固定できる固定装置を提供することを課題とする。
【課題を解決するための手段】
【０００４】
本考案による固定装置は、本体と、本体に設けられる固定モジュールと、本体に設けられる作動モジュールとを含む。そのうち作動モジュールが第一方向に移動するとき、固定モジュールは第一方向と異なる第二方向に連動し、固定装置は係止状態と解除状態のいずれかから他方に移行する。
【０００５】
本考案による他の電子装置用固定装置は、本体と、本体に設けられる着脱可能な台座とを含む。そのうち着脱可能な台座は、電子装置の接続ポートの形と一致し、複数の孔を有する接続部が筐体に設けられる台座蓋と、上記複数の孔から突き出ており、電子装置を上記着脱可能な台座に取り付けるときに電子装置の接続ポートと接続する複数のピンを有し、台座蓋に収容される回路板とを含む。
【考案の効果】
【０００６】
従来の技術と比べ、本考案による固定装置は水平方向に沿って電子装置を固定するため、固定の確実性と安定性を確保することができる。固定装置の台座はモジュール化されている（着脱可能）ため、本考案は台座蓋と回路板の設計を変更するだけで複数の機種に適用し、生産コストを削減することができる。
【考案を実施するための最良の形態】
【０００７】
かかる装置の特徴を詳述するために、具体的な実施例を挙げ、図示を参照して以下に説明する。
【０００８】
当業者に周知されているとおり、電子製品メーカーにより、本明細書及び特許請求の範囲に掲載されるものと異なった用語で同一の素子を呼ぶことが可能である。そのため、本発明は素子につける名前でなく、もっぱら機能で素子を特定する。なお、本明細書及び特許請求の範囲に用いられる「含む」や「有する」などの用語は限定的に捉えるべきでなく、例示されたものに限らないと解すべきである。
【０００９】
図１と図２を参照する。図１と図２は、本考案による固定装置１００の立体図と内部構造図である。固定装置１００は本体１１０と、固定モジュール１２０と、作動モジュール１３０を含む。固定モジュール１２０と作動モジュール１３０はいずれも本体１１０に設けられる。作動モジュール１３０が第一方向に沿って移動するとき、固定モジュール１２０は第一方向と異なる第二方向に連動し、固定装置は係止状態と解除状態のいずれかから他方に移行する。上記第一方向とは垂直方向を指し、第二方向とは水平方向を指すが、本発明はそれに限らない。固定装置１００の構造と操作方法については下記に詳述する。
【００１０】
注意すべきは、本考案に掲げられる固定装置は携帯型電子装置の固定装置（例えば車用固定装置）である。下記は、ＧＰＳナビゲーターを車内に固定する固定装置１００を例にするが、本考案はそれに限らず、すべての電子装置に適する。例えば携帯電話の固定装置も本考案の範囲に属する。
【００１１】
図１と図２を再び参照する。固定装置１００の本体１１０は、前蓋１１２と、後蓋１１４と、前蓋１１２に設けられるスポンジ１１６を含む。電子装置（例えばＧＰＳナビゲーター）の装着時、スポンジ１１６は振動を吸収して装置と前蓋１１２の衝突を防止できる。固定モジュール１２０は係止部１２２を有し、係止部１２２は第一係止具１２７を備える第一フック部１２６と、第二係止具１２９を備える第二フック部１２８を含む。上記係止部１２２は可撓性材料で作られ、外力を受けないときは係止状態となり、この状態では電子装置は第一係止具１２７と第二係止具１２９によって固定される。外力を受けるときは解除状態となり、この状態では電子装置を固定装置１００に着脱することができる。作動モジュール１３０を下方（垂直方向）に動かすとき、係止部１２２は外力を受けて変形し、第一係止具１２７と第二係止具１２９は外側（水平方向）へ移動し、固定モジュール１２０は係止状態となる。言い換えれば、第一係止具１２７と第二係止具１２９が外側へ移動した場合、電子装置は固定装置１００によって固定される。作動モジュール１３０を上方（垂直方向）に動かすとき（例えば使用者が作動モジュール１３０を下から上へ押す）、係止部１２２は外力を受けて変形し、第一係止具１２７と第二係止具１２９は内側（水平方向）へ移動し、固定モジュール１２０は解除状態となる。言い換えれば、第一係止具１２７と第二係止具１２９が内側へ移動した場合、電子装置は固定装置１００によって固定されない。
【００１２】
固定装置１００の安定性を向上させるため、固定装置１００に、第一フック部１２６と第二フック部１２８をつなげる弾性体１２４を設けることが可能である。係止部１２２が外力によって変形するとき、弾性体１２４は第一係止具１２７と第二係止具１２９を外側へ押すとともに、係止部１２２に弾力与えて電子装置を固定装置１００に固定することができる。図に示す弾性体１２４はバネを例にするが、本考案はそれに限らない。もっとも、可撓な係止部１２２自体も外力によって変形するときに回復力があるため、上記弾性体１２４は本考案の必要部品ではない。例えば、弾性体を含まず、フック部と係止具のみ設けられる固定モジュール１２０も、本考案の範囲に属する。
【００１３】
固定装置１００の本体１１０は更に着脱可能な台座１４５を含み、台座１４５は台座蓋１４２と回路板１４４を含む。台座蓋１４２の筐体には、電子装置の接続ポートと形状が一致する接続部１４６が設けられ、接続部１４６には複数の孔１４８が設けられている。回路板１４４は台座蓋１４２に収容され、そのピン１５０は接続部１４６の複数の孔１４８から突き出て電子装置の接続ポートと接続する。例えば、上記電子装置の接続ポートが電源接続孔を有し、回路板１４４が充電回路を備えていれば、電子装置はピン１５０を介して充電することができる。もっとも本考案はそれに限らず、ピン１５０を用いて他の電気信号を送信し、それに対応する処理回路を回路板１４４に設けることも可能である。
【００１４】
以上は本考案に好ましい実施例であって、本考案の実施の範囲を限定するものではない。よって、当業者のなし得る修正、もしくは変更であって、本考案の精神の下においてなされ、本考案に対して均等の効果を有するものは、いずれも本考案の実用新案登録の範囲に属するものとする。
【産業上の利用可能性】
【００１５】
本考案は図に示すように実施可能である。
【図面の簡単な説明】
【００１６】
【図１】本考案による固定装置の立体図である。
【図２】本考案による固定装置の内部構造図である。
【符号の説明】
【００１７】
１００      固定装置
１１０      本体
１１２      前蓋
１１４      後蓋
１１６      スポンジ
１２０      固定モジュール
１２２      係止部
１２４      弾性体
１２６、１２８      フック部
１２７、１２９      係止具
１３０      作動モジュール
１４２      台座蓋
１４４      回路板
１４５      台座
１４６      接続部
１４８      孔
１５０      ピン
【図１】
0003138428.tif 000003
【図２】
0003138428.tif 000004
【手続補正書】
【提出日】平成19年10月22日(2007.10.22)
【手続補正１】
【補正対象書類名】実用新案登録請求の範囲
【補正対象項目名】全文
【補正方法】変更
【補正の内容】
【実用新案登録請求の範囲】
【請求項１】
固定装置であって、
本体と、
本体に設けられる固定モジュールと、
本体に設けられる作動モジュールとを含み、そのうち作動モジュールが第一方向に移動するとき、固定モジュールは第一方向と異なる第二方向に連動し、固定装置は係止状態と解除状態のいずれかから他方に移行することを特徴とする固定装置。
【請求項２】
前記第一方向と第二方向はほぼ垂直であることを特徴とする請求項１記載の固定装置。
【請求項３】
前記第一方向は垂直であり、第二方向は水平であることを特徴とする請求項２記載の固定装置。
【請求項４】
前記固定モジュールは、
第一係止具が設けられる第一フック部を有し、可撓性材料で作られた係止部を含み、前記作動モジュールが第一方向に移動するとき、係止部は変形し、第一係止具は第二方向に連動し、固定装置は係止状態と解除状態のいずれかから他方に移行することを特徴とする請求項１記載の固定装置。
【請求項５】
前記係止部は更に第二係止具が設けられる第二フック部を有し、前記作動モジュールが第一方向に移動するとき、係止部は変形し、第一係止具は第二方向に連動し、固定装置は係止状態と解除状態のいずれかから他方に移行し、前記固定モジュールは更に、
第一フック部と第二フック部をつなげ、係止部が変形するときに係止部に弾力を与える弾性体を含むことを特徴とする請求項４記載の固定装置。
【請求項６】
前記固定装置は電子装置の固定装置であることを特徴とする請求項１記載の固定装置。
【請求項７】
前記電子装置は携帯型装置であることを特徴とする請求項６記載の固定装置。
【請求項８】
前記電子装置はＧＰＳ（全地球測位システム）ナビゲーターであることを特徴とする請求項６記載の固定装置。
【請求項９】
前記電子装置は携帯電話であることを特徴とする請求項６記載の固定装置。
【請求項１０】
前記固定装置は更に、本体に設けられる着脱可能な台座を含み、該着脱可能な台座は、
電子装置の接続ポートの形と一致し、複数の孔を有する接続部が筐体に設けられる台座蓋と、
上記複数の孔から突き出ており、電子装置を上記着脱可能な台座に取り付けるときに電子装置の接続ポートと接続する複数のピンを有し、台座蓋に収容される回路板とを含むことを特徴とする請求項６記載の固定装置。
【請求項１１】
前記固定装置は車用固定装置であることを特徴とする請求項６記載の固定装置。
【請求項１２】
前記本体に設けられる着脱可能な台座を含み、そのうち着脱可能な台座は、
電子装置の接続ポートの形と一致し、複数の孔を有する接続部が筐体に設けられる台座蓋と、
上記複数の孔から突き出ており、電子装置を上記着脱可能な台座に取り付けるときに電子装置の接続ポートと接続する複数のピンを有し、台座蓋に収容される回路板とを含むことを特徴とする請求項１記載の固定装置。
【請求項１３】
前記電子装置は携帯型装置であることを特徴とする請求項１２記載の固定装置。
【請求項１４】
前記電子装置はＧＰＳナビゲーターであることを特徴とする請求項１２記載の固定装置。
【請求項１５】
前記電子装置は携帯電話であることを特徴とする請求項１２記載の固定装置。
【請求項１６】
前記固定装置は車用固定装置であることを特徴とする請求項１２記載の固定装置。